(57)【要約】【課題】ガイドレールによる進退可能なトレイの脱落を防止するディスク装置を提供する。【解決手段】レールガイド２１２Ａがケース体の開口面から所定の距離で進出すると、レールガイド２１２Ａに舌片状に設けた第一抜け止め片２２２が、合成樹脂製のレール２１１に一連に設けた第一規制部２２１に当接する。落下などの大きな外力が作用し、さらにレールガイド２１２Ａが進出する状態では、レールガイド２１２Ａに舌片状に設けた第二抜け止め片２３２が、金属製のケース体から一連に設けた第二規制部２３１に当接し、トレイの脱落を防止する。【選択図】図９
2008071452.tif 000002
【特許請求の範囲】
【請求項１】
少なくとも一面に開口面を有しこの開口面に連通する内部空間を有するケース体と、長手方向の一端側が前記内部空間から進退可能に前記ケース体内に配設された対をなすガイドレールと、これらガイドレール間で長手方向に摺動可能で前記内部空間から進退可能に保持され、ディスク状の記録媒体を保持する保持部を有したトレイと、を備えたディスク装置であって、
前記ガイドレールが前記開口面から所定の距離で進出することにより前記ガイドレールの進出を規制する第一抜け止め部と、
この第一抜け止め部にて前記ガイドレールの進出が規制された状態で同時に、または前記ガイドレールの進出が規制された状態から前記ガイドレールがさらに前記開口面から進出する状態で前記ガイドレールの進出を規制する第二抜け止め部と、
を具備したことを特徴としたディスク装置。
【請求項２】
請求項１に記載のディスク装置であって、
前記第一抜け止め部は、前記ガイドレールの少なくともいずれか一方の長手方向の一端部に設けられた第一抜け止め片、および、前記ケース体に設けられ前記ガイドレールが前記開口面から所定量進出することにより前記第一抜け止め片が当接する第一規制部を備え、
前記第二抜け止め部は、少なくとも前記第一抜け止め片が設けられたガイドレールに設けられた第二抜け止め片、および、前記ケース体に設けられ前記第一抜け止め片が前記第一規制部に当接する状態で前記ガイドレールが前記開口面からさらに進出する状態で前記第二抜け止め片が当接する第二規制部を備えた
ことを特徴としたディスク装置。
【請求項３】
請求項２に記載のディスク装置であって、
前記第一抜け止め片および前記第二抜け止め片は、前記対をなすガイドレールにそれぞれ設けられた
ことを特徴としたディスク装置。
【請求項４】
請求項２または請求項３に記載のディスク装置であって、
前記第一抜け止め片および前記第二抜け止め片は、前記ガイドレールが前記開口面から進退する進退方向に対して交差する方向に突出する状態にそれぞれ設けられ、
前記第一規制部は、合成樹脂にて形成され、
前記第二規制部は、金属板製の前記ケース体に切り起こし形成された
ことを特徴としたディスク装置。
【請求項５】
請求項２ないし請求項４のいずれかに記載のディスク装置であって、
第一抜け止め部の第一規制部は、前記ガイドレールが前記開口面から進退する進退方向に隣接し前記開口面側に位置する合成樹脂製の第一樹脂規制部と、この第一樹脂規制部に隣接して前記ケース体から切り起こし形成された第一切り起こし規制部と、を備えた
ことを特徴としたディスク装置。
【請求項６】
請求項２ないし請求項５のいずれかに記載のディスク装置であって、
前記ケース体は、前記ガイドレールおよび前記トレイが配設される筐体本体部と、この筐体本体部に一連に設けられ、前記記録媒体の搬送経路が形成されるとともに搬送された前記記録媒体を覆うウィング部とを備え、
前記第二抜け止め部の第二規制部は、前記ウィング部から前記筐体本体部内に向けて突出する状態に一連に形成された
ことを特徴としたディスク装置。
【発明の詳細な説明】
【技術分野】
【０００１】
本発明は、ガイドレールにより筐体の内部空間内に記録媒体を回転可能に保持するトレイを進退可能に配設するディスク装置に関する。
【背景技術】
【０００２】
従来、本体に対して出し入れ自在に設けられるトレイに記録媒体を載置し、記録媒体の挿排を実施する例えば図１および図２に示すようなディスク装置が知られている。
この図１および図２に示すようなディスク装置１００は、扁平箱状の内部空間を有するケース体２００に、記録媒体を回転自在に保持するターンテーブル２３を有するトレイ３００を備えた装置である。このディスク装置１００は、トレイ３００の両側に摺動可能に係合しケース体２００の前面に開口する開口面２０１からトレイ３００を前後方向に進退可能に支持する一対の長手状のガイドレールであるレールガイド２１２Ａ，２１２Ｂを備えている。これらレールガイド２１２Ａ，２１２Ｂのケース体２００の内側となる一端には、抜け止め片２２２が設けられている。さらに、ケース体２００には、例えば図３に示すように、レールガイド２１２Ａ，２１２Ｂがケース体２００の開口面２０１から進出した状態で抜け止め片２２２に当接し、脱落を防止する規制片２２１を有したガイド部材２５０が配設された構成が採られている。
また、図３に示すようなガイド部材２５０に代えて、例えば図４に示すように、ケース体２００から直接的に規制片２２１が切り起こし形成された構成も採られている。
【発明の開示】
【発明が解決しようとする課題】
【０００３】
しかしながら、例えばノートパソコンなどの携帯機器で、上述した図１ないし図３に示す構成や図４に示すレールガイド２１２Ａ，２１２Ｂの脱落防止機構を有したディスク装置１００を備えた構成において、使用者が誤って携帯機器を落下した場合などの大きな衝撃がディスク装置１００に作用した場合、レールガイド２１２Ａ，２１２Ｂの抜け止め片２２２がケース体２００の規制片２２１を乗り越えて、ケース体２００からトレイ３００が脱落してディスク装置１００が損傷するおそれがある問題が一例として上げられる。
【０００４】
本発明は、このような点などに鑑みて、ガイドレールによる進退可能なトレイの脱落を防止するディスク装置を提供することを目的とする。
【課題を解決するための手段】
【０００５】
請求項１に記載の発明は、少なくとも一面に開口面を有しこの開口面に連通する内部空間を有するケース体と、長手方向の一端側が前記内部空間から進退可能に前記ケース体内に配設された対をなすガイドレールと、これらガイドレール間で長手方向に摺動可能で前記内部空間から進退可能に保持され、ディスク状の記録媒体を保持する保持部を有したトレイと、を備えたディスク装置であって、前記ガイドレールが前記開口面から所定の距離で進出することにより前記ガイドレールの進出を規制する第一抜け止め部と、この第一抜け止め部にて前記ガイドレールの進出が規制された状態で同時に、または前記ガイドレールの進出が規制された状態から前記ガイドレールがさらに前記開口面から進出する状態で前記ガイドレールの進出を規制する第二抜け止め部と、を具備したことを特徴としたディスク装置である。
【発明を実施するための最良の形態】
【０００６】
〔ディスク装置の構成〕
以下、本発明における一実施の形態のディスク装置を図面に基づいて説明する。
図５は、本発明における一実施の形態のディスク装置の内部構成を示す平面図である。図６は、ディスク装置のケース体からトレイを引き出した際のトレイおよびケース体の構成を示す平面図である。図７は、第一抜け止め部および第二抜け止め部近傍を示す一部を切り欠いた平面図である。図８は、第一抜け止め部および第二抜け止め部近傍を示す一部を切り欠いた側面図である。図９は、通常のトレイの進出状態での第一抜け止め部および第二抜け止め部近傍を示す一部を切り欠いた側面図である。図１０は、第三抜け止め部近傍を示す一部を切り欠いた平面図である。
なお、本実施の形態において、上述した図１ないし図３に示すディスク装置や図４に示すディスク装置と、同一の構成については、同一の符号を付して説明する。
【０００７】
図５および図６において、１００はディスク装置で、このディスク装置１００は、例えば携帯型のパーソナルコンピュータなどの電気機器に装着されるいわゆるスリムディスク装置（或いはスリムディスクドライブ）と称されるものである。
このディスク装置１００は、着脱可能に装着されるディスク状の記録媒体、例えばＣＤ(Compact Disc)やＤＶＤ(Digital Versatile Disc)などの光ディスクにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、外装ケースとしてのケース体２００と、トレイ３００と、などを備えている。
【０００８】
ケース体２００は、金属板にて内部に内部空間を有する略四角箱状に形成されている。このケース体２００は、一面側に開口面２０１を開口形成している。
そして、ケース体２００は、筐体本体部２００Ａと、図中筐体本体部２００Ａの右側に設けられるウィング部２００Ｂとを備えて構成されている。これらの筐体本体部２００Ａおよびウィング部２００Ｂは、天面が同一平面上に形成され、底面が異なる高さ寸法に形成されている。すなわち、ウィング部２００Ｂの底面は、筐体本体部２００Ａの底面を構成するケース体２００の下ケース２０２よりも天面からの距離寸法が小さく形成されている。
また、ケース体２００には、開口面２０１を介してトレイ３００が筐体本体部２００Ａに進退自在に配設されている。
さらに、ケース体２００の内部には、トレイ３００の進退方向に沿って配設されるレール部２１０と、トレイ３００の進退移動を規制する図示しない開閉機構部と、ディスク装置の動作の制御などを実施する図示しない回路部と、が設けられている。
また、ケース体２００には、回路部と接続される図示しないコネクタ部が設けられている。コネクタ部は、例えばディスク装置１００の外部のパーソナルコンピュータなどの電気器と接続可能で、電気機器から各種情報を送受信したり、電力が供給されるプラグが接続されたりする。
【０００９】
レール部２１０は、ケース体２００の開口面２０１からトレイ３００の進退方向に沿って筐体本体部２００Ａの進退方向における両側部に位置して配設され、トレイ３００の進退方向における両側面に沿って設けられている。このレール部２１０は、ケース体２００に固定される一対のレール２１１と、トレイ３００に摺動可能に設けられるガイドレールとしての対をなすレールガイド２１２Ａ，２１２Ｂと、を備えている。
レール２１１は、筐体本体部２００Ａにおける開口面２０１の左右両端からケース体２００の奥側（図１および図２における上側）に向かって延出して形成されている。これらのレール２１１は、例えばポリオキシメチレン（polyoxymethylene：ＰＯＭ）などの合成樹脂製で、互いに対向する面が開口する例えば断面略コ字状の図示しない凹溝を備えて形成され、この凹溝にそれぞれレールガイド２１２が長手方向でトレイ３００の進退方向に沿って摺動自在に支持されている。
レールガイド２１２は、内面側にトレイ３００の両側部が摺動自在に係合可能に、金属板にて断面略コ字状に形成されている。
【００１０】
さらに、ケース体２００には、レールガイド２１２の進退方向への移動を規制してレールガイド２１２Ａ，２１２Ｂがレール２１１から脱落することを防止する規制機構が設けられている。この規制機構は、図７ないし図９に示す第一抜け止め部２２０と、図７ないし図９に示す第二抜け止め部２３０と、第一抜け止め部として機能する図１０に示す第三抜け止め部２４０と、にて構成されている。
【００１１】
第一抜け止め部２２０は、ケース体２００のレール２１１に設けられた第一規制部２２１と、一方、例えばウィング部２００Ｂ側に配設されたレールガイド２１２Ａに設けられた第一抜け止め片２２２と、を備えている。
第一規制部２２１は、レールガイド２１２Ａの移動経路となるレール２１１の凹溝より筐体本体部２００Ａの内側に位置し、ケース体２００の下ケース２０２側から天面側に向けてレール２１１から一連に突出して設けられている。この第一規制部２２１は、トレイ３００の進退方向に長手状に形成され、レール２１１の凹溝側の側面にてレールガイド２１２Ａが凹溝から脱落することを防止しつつ摺動移動を案内するガイドとしても機能する。
第一抜け止め片２２２は、レールガイド２１２Ａの長手方向の一端側であるケース体２００の奥側端部に、筐体本体部２００Ａの内側に向けて下ケース２０２の平面に沿って舌片状に一連に突出形成され、さらに突出方向の一縁で開口面２０１に対向する縁がケース体２００の天面側に向けて折曲され、第一規制部２２１の端面に当接可能に形成されている。
そして、第一抜け止め部２２０は、トレイ３００が開口面２０１から進出し、トレイ３００に対して光ディスクが厚さ方向で着脱可能な位置まで進出する状態にレールガイド２１２Ａが進出することにより、第一規制部２２１および第一抜け止め片２２２が当接して進出を規制する。
【００１２】
第二抜け止め部２３０は、ケース体２００に設けられた第二規制部２３１と、レールガイド２１２Ａに設けられた第二抜け止め片２３２と、を備えている。
第二規制部２３１は、ケース体２００のウィング部２００Ｂから一連に筐体本体部２００Ａ内に向けて、レール２１１の凹溝の天板側に位置して舌片状に突出し、筐体本体部２００Ａの奥側に対向する一縁に奥側に向けて拡開する略Ｖ字凹状に切り欠き形成されている。
第二抜け止め片２３２は、レールガイド２１２Ａの一端部で第一抜け止め片２２２と対向する反対側の側部にレールガイド２１２Ａのコ字状の底部に連続、すなわちレール２１１に配設された状態で下ケース２０２から天面側に向けて舌片状に突出する状態に形成されている。
そして、第二抜け止め部２３０は、トレイ３００が開口面２０１から進出して第一抜け止め部２２０により進出が規制された図９に示す状態で、例えば外部からの衝撃などにてさらに進出する力が作用した際に、略Ｖ字凹状の第二規制部２３１内に係合する状態に内側縁に第二抜け止め片２３２が当接し、さらなるレールガイド２１２Ａの進出を規制する。すなわち、第二抜け止め部２３０は、第一抜け止め片２２２が第一規制部２２１を乗り越えたり、折損などしたりすることなく、さらなる進出する力により互いに当接する第一規制部２２１および第一抜け止め片２２２が弾性変形することで、第二規制部２３１および第二抜け止め片２３２が当接する状態に形成されている。
なお、本発明では、第二抜け止め部２３０は、第一抜け止め部２２０の第一抜け止め片２２２および第一規制部２２１が当接する際に、第二規制部２３１および第二抜け止め片２３２が同時に当接する構成としてもよい。
【００１３】
第三抜け止め部２４０は、ケース体２００に設けられた第三規制部２４１と、第一抜け止め片２２２および第二抜け止め片２３２が設けられたレールガイド２１２Ａと対をなす他方のレールガイド２１２Ｂに設けられた第一抜け止め片２２２と、を備えている。また、第三規制部２４１は、第一規制部２２１と同様の第一樹脂規制部２４１Ａと、ケース体２００から切り起こし形成された第二切り起こし規制部２４１Ｂと、を備えている。
第一樹脂規制部２４１Ａは、レールガイド２１２Ｂの移動経路となるレール２１１の凹溝より筐体本体部２００Ａの内側に位置し、ケース体２００の下ケース２０２側から天面側に向けてレール２１１から一連に突出して設けられている。この第一樹脂規制部２４１Ａも第一規制部２２１と同様に、トレイ３００の進退方向に長手状に形成され、レール２１１の凹溝側の側面にてレールガイド２１２Ｂが凹溝から脱落することを防止しつつ摺動移動を案内するガイドとしても機能する。第一切り起こし規制部２４１Ｂは、第一樹脂規制部２４１Ａに対して進退方向の奥側に隣接して下ケース２０２から天面側に向けて進退方向に沿った壁状に形成されている。
そして、第三抜け止め部２４０は、トレイ３００が開口面２０１から進出し、トレイ３００に対して光ディスクが厚さ方向で着脱可能な位置まで進出する状態にレールガイド２１２Ｂが進出し、レールガイド２１２Ａにおける第一抜け止め部２２０の第一規制部２２１および第一抜け止め片２２２が当接する際に、第三規制部２４１の第一切り起こし規制部２４１Ｂに当接してレールガイド２１２Ｂの進出を規制する。
すなわち、第三規制部２４１は、仮にレールガイド２１２Ｂに進出する方向へさらに力が作用して第一抜け止め片２２２が第一切り起こし規制部２４１Ｂの先端側や側面側を乗り超える状態となっても、第一抜け止め片２２２は開口面２０１側に位置する第一樹脂規制部２４１Ａに当接して進出を規制する状態に形成されている。具体的には、第一切り起こし規制部２４１Ｂは、第一樹脂規制部２４１Ａよりレール２１１の凹溝に対して若干離間してレールガイド２１２Ｂの摺動の際に接触しない位置で、かつ第一樹脂規制部２４１Ａより突出寸法が短めに形成されている。
【００１４】
トレイ３００は、図５および図６に示すように、例えば合成樹脂などにて形成された略板状に形成され、ケース体２００の出入口としての開口面２０１から進出自在に設けられている。このトレイ３００の一縁側には、トレイ３００がケース体２００内部に収納された状態で、ケース体２００の開口面２０１を閉塞する化粧板３０１が設けられている。
トレイ３００の一平面側となる上面側には、記録媒体としての光ディスクの径寸法より若干大きい円弧状凹部３１０が設けられている。
また、トレイ３００には、化粧板３０１側の一端部から円弧状凹部３１０の略中心に向かって、いわゆるトラバースメカと称されるディスク処理部２０が設けられている。さらに、また、トレイ３００の化粧板３０１の一部には、図示しないイジェクトボタンが設けられている。さらに、トレイ３００の他平面側となる下面側には、ディスク処理部２０を動作制御したりイジェクトボタンが接続されてトレイ３００の進退を制御したりする図示しない制御回路部が配設されている。制御回路部は、例えばフレキシブルコードなどにてケース体２００の回路部に接続されている。
【００１５】
ディスク処理部２０は、例えば金属板にて略板状に形成されトレイ３００に支持された台座部２１を有している。この台座部２１は、トレイ３００の化粧板３０１側の一端部から、中心位置に向かって長手に形成されている。また、台座部２１には、長手方向に沿って、長手状の処理開口部２１Ａが略中央に切欠形成されている。
そして、台座部２１の処理開口部２１Ａの一端側にディスク回転駆動手段２２が配設されている。このディスク回転駆動手段２２は、図示しないスピンドルモータと、このスピンドルモータの出力軸に一体的に設けられた保持部としてのターンテーブル２３とを備えている。スピンドルモータは、制御回路部に制御可能に接続され、制御回路部から供給される電力により駆動する。ターンテーブル２３は、トレイ３００の略中心部に設けられるとともに光ディスクを着脱可能に軸支し回転可能に保持する。
また、台座部２１には、情報処理部２４が配設されている。この情報処理部２４は、一対のガイドシャフト２５間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスクで反射された出射光を検出する図示しない光センサとを有するピックアップを備えている。
【００１６】
さらに、トレイ３００には、図示しない開閉機構部が設けられている。この開閉機構部は、トレイロック部と、開閉規制部と、を備えている。
トレイロック部は、トレイ３００の下面からケース体２００の下ケース２０２側に向かって突出形成されている。開閉規制部は、規制爪部と、動作部と、を備えている。規制爪部は、トレイ３００がケース体２００に収納された状態でトレイロック部に係合する下ケース２０２の対応する位置に設けられている。動作部は、回路部に接続されて動作制御される例えばソレノイドなどを有している。そして動作部は、イジェクトボタンの入力操作が実施されたことを認識した制御回路部から出力される信号を回路部で受信し、回路部の制御で動作するソレノイドにより、規制爪部をトレイロック部との係合状態を解除する状態、例えば規制爪部から離間する状態に移動させ、トレイ３００を進出可能とする。なお、トレイロック部と、開閉規制部の規制爪部とは、進出するトレイ３００をケース体２００内に収納させる際に、互いに乗り越えて係合する。
【００１７】
〔ディスク装置の動作〕
次に、上記ディスク装置１００の動作について説明する。
【００１８】
図５に示すようなトレイ３００がケース体２００に収納された状態において、利用者が化粧板３０１に設けられたイジェクトボタンを入力操作すると、制御回路部は開閉規制部の動作部を制御して規制爪部を移動させ、トレイ３００のトレイロック部との係合状態を解除し、トレイ３００のロックが解除された状態となる。
そして、このようなトレイ３００のロックが解除された状態で、例えば化粧板３０１を引き出すと、トレイ３００がレール部２１０に支持されて開口面２０１から外部へスライド移動される。この利用者によるトレイ３００を引き出すスライド移動により、トレイ３００が所定位置まで引き出されると、図９に示すように、第一抜け止め部２２０の第一抜け止め片２２２が第一規制部２２１に当接するとともに、第三抜け止め部２４０の第一抜け止め片２２２が第三規制部２４１の第一切り起こし規制部２４１Ｂに当接し、トレイ３００の抜け落ちを防止する。この状態で、ディスク処理部２０のターンテーブル２３に光ディスクの脱着が可能となる。この後、例えば光ディスクをターンテーブル２３にチャッキングさせた状態で、トレイ３００を押し込むと、トレイ３００は、レール部２１０によりケース体２００の内部に案内される。
トレイ３００がさらに奥側に押し込まれると、トレイ３００のトレイロック部が開閉規制部の規制爪部を乗り越えて係合され、トレイ３００がケース体２００にロックされる。
この後、利用者の操作入力に基づいて、制御回路部は、装着された光ディスクの情報処理を実施する。
【００１９】
一方、例えばトレイ３００がケース体２００にロックされている状態で電気機器が誤って落下した際、特にトレイ３００が進退する側が鉛直方向で下方に向く状態で落下するなど、トレイ３００のトレイロック部が規制爪部を乗り越えるような大きな外力が作用すると、トレイ３００のロック状態が解除される可能性がある。仮に、ロック状態が解除すると、トレイ３００が開口面２０１から飛び出るように移動するおそれがある。
そして、仮にトレイ３００が開口面２０１から飛び出るように移動した場合、トレイ３００の引き出し操作の場合と同様に、第一抜け止め部２２０の第一抜け止め片２２２が第一規制部２２１に当接するとともに、第三抜け止め部２４０の第一抜け止め片２２２が第三規制部２４１の第一切り起こし規制部２４１Ｂに当接し、トレイ３００の脱落が防止される。さらに、仮にトレイ３００の飛び出す勢いが大きく、互いに当接する第一規制部２２１および第一抜け止め片２２２が弾性変形する状態に外部からのトレイ３００を飛び出させる外力が作用すると、第二規制部２３１および第一抜け止め片２３２が当接し、トレイ３００の脱落が防止される。
【００２０】
〔ディスク装置の作用効果〕
上述したように、上記一実施の形態では、トレイ３００が開口面２０１から進出しレールガイド２１２Ａが開口面２０１から所定の距離で進出すると、第一抜け止め部２２０によりレールガイド２１２Ａの進出を規制し、この第一抜け止め部２２０にて規制する状態でレールガイド２１２Ａがさらに開口面から進出する状態では、第二抜け止め部２３０によりレールガイド２１２Ａの進出を規制している。
このように、トレイ３００が引き出される進出方向に力が作用した場合、第一抜け止め部２２０および第二抜け止め部２３０により二段階で規制するので、通常の操作によるトレイ３００の進退では、第一抜け止め部２２０によりトレイ３００の脱落が防止され、仮にディスク装置１００を備えた電気機器が落下するなどにより不測の大きな外力が作用しても、第一の抜け止め部２２０にて外力の一部を吸収した後に第二抜け止め部２３０によりトレイ３００が脱落することを防止できる。したがって、例えば、トレイ３００とケース体２００との間に接続されるフレキシブルコードなどが切断したり、回路部や制御回路部、さらにはディスク処理部２０が損傷したりするなどのディスク装置１００の損傷を防止できる。
【００２１】
そして、第一抜け止め部２２０として、レールガイド２１２Ａの長手方向の一端部に設けた第一抜け止め片２２２と、ケース体２００に設けられレールガイド２１２Ａが所定量進出することで第一抜け止め片２２２が当接する第一規制部２２１とにより構成する。また、第二抜け止め部２３０として、第一抜け止め片２２２が設けられたレールガイド２１２Ａに設けた第二抜け止め片２３２と、ケース体２００に設けられ第一抜け止め部２２０により規制する状態でさらにレールガイド２１２Ａが進出する状態で第二抜け止め片２３２が当接する第二規制部２３１とにより構成している。
このため、単に突設する簡単な構造で二段階によるトレイ３００の進出規制をする構成が得られ、従来のレール部２１０の構成を利用して形成することが容易にできる。
【００２２】
また、レールガイド２１２Ａを断面略コ字状に形成し、一縁側に第一抜け止め片２２２を設け他縁側の略対向する位置に第二抜け止め片２３２を設けている。
このため、レールガイド２１２Ａの両縁部に舌片状に突設するのみでよく、より簡単な構成で二段階による進出規制の構成が容易に得られる。
【００２３】
さらに、第一規制部２２１を合成樹脂にて形成し、第二規制部２３１を金属板製のケース体２００に切り起こし形成している。
このため、通常のトレイの進出状態では、合成樹脂製の第一規制部２２１に第一抜け止め片２２２が当接する際に、第一規制部２２１の弾性により当接時の衝撃音を低減できるとともに、落下などの不測の大きな外力が作用する場合では金属製の第二規制部２３１に第二抜け止め片２３２が当接するので、確実なトレイ３００の脱落防止が得られる。
【００２４】
そして、第一規制部２２１として、レールガイド２１２Ａの円滑な摺動のために用いられる合成樹脂製のレール２１１に設けている。
このため、部品数が増加することなく、一体形成でき、製造性の向上やコストの低減などが容易に得られる。
【００２５】
また、第一抜け止め片２２２を開口面２０１に側面が対向する状態に折曲形成している。
このため、第一抜け止め片２２２が第一規制部２２１に面にて当接する状態が得られ、通常の使用により頻繁に当接する構成でも、互いの損傷がなく、長期間安定した進出規制状態が得られる。
【００２６】
さらに、第二規制部２３１をケース体２００のウィング部２００Ｂから段差となる筐体本体部２００Ａに向けて突出する状態に一連に形成している。
このため、筐体本体部２００Ａに対して段差となるウィング部２００Ｂから直接的に一連に形成でき、複雑に切り起こし形成する必要が無く、容易に金属製にて形成できる。さらには、筐体本体部２００Ａに向けて突出する状態に形成しているので、段差を利用して配設するレール２１１の保持やレールガイド２１２のガイドとしても機能させることができ、構成のさらなる簡略化が容易に得られる。
【００２７】
そして、第二抜け止め部２３０として、第一抜け止め片２２２が第一規制部２２１を乗り越えたり、互いに折損したりすることなく、さらなる進出する力により互いに当接する第一規制部２２１および第一抜け止め片２２２が弾性変形することで、第二規制部２３１および第二抜け止め片２３２が当接する状態に、第二規制部２３１および第二抜け止め片２３２を形成して構成している。
このため、不測の大きな外力が作用した際に、先ず第一抜け止め部２２０によりトレイ３００の進出を規制して外力の一部を吸収した後に、直ちに第二抜け止め部２３０にて残りの外力を吸収する状態が得られ、簡単な構成での確実なトレイ３００の脱落防止が容易に得られる。
【００２８】
また、他方のレールガイド２１２Ｂ側には、第一抜け止め部２２０にて進出規制する際に同時にトレイ３００の進出規制をする第三抜け止め部２４０を設けている。
このため、レール部２１０に作用するトレイ３００の進出方向への移動力が、トレイ３００の両側を保持する対をなすレールガイド２１２Ａ，２１２Ｂの双方で分割され、トレイ３００の安定した進出規制が得られる。
【００２９】
さらに、第三抜け止め部２４０として、第一抜け止め片２２２と、合成樹脂製の第一樹脂規制部２４１Ａおよび第一切り起こし規制部２４１Ｂを備えた第三規制部２４１とにより構成している。
このため、レールガイド２１２Ａと同一の第一抜け止め片２２２を利用でき、さらに単に第一樹脂規制部２４１Ａのみならず、まず第一抜け止め片２２２が当接する金属製となる第一切り起こし規制部２４１Ｂに当接する状態に隣接形成しているので、不測の大きな外力が作用しても、レールガイド２１２Ｂ側が抜け落ちることによりレールガイド２１２Ａ側にのみ大きな外力が作用することを防止でき、規制部の損傷がなく、確実なトレイ３００の脱落を簡単な構成で容易に得られる。
また、第一切り起こし規制部２４１Ｂを、レールガイド２１２Ｂの移動経路側から切り起こし形成している。
このため、切り起こし成形による開口がレールガイド２１２Ｂにて略閉塞される状態となり、塵埃などが外部から進入することを防止でき、安定したディスク装置１００の動作を確保できる。
【００３０】
〔実施形態の変形〕
なお、本発明は、上述した一実施の形態に限定されるものではなく、本発明の目的を達成できる範囲で以下に示される変形をも含むものである。
【００３１】
すなわち、上記実施の形態では、ディスク装置１００は、ノート型パーソナルコンピュータなどに搭載可能な薄型のディスク装置を例示したが、これに限定されず、例えばデスクトップ型のパーソナルコンピュータなどに搭載される構成としてもよい。
また、ノート型パーソナルコンピュータに装着される構成に限らず、例えばゲーム機や、映像データの録画再生処理を実施する、いわゆるビデオ装置などに装着されてもよい。
【００３２】
そして、ディスク装置としては、読取処理および記録処理のうちいずれか一方のみを実施する構成としても対象とすることができる。
さらに、記録媒体としては、光ディスクに限らず、光磁気ディスクや磁気ディスクなど、各種構成を対象とすることができる。
【００３３】
また、第一抜け止め部２２０および第二抜け止め部２３０により、トレイ３００進出を二段階で規制する構成を例示したが、二段規制に限られるものではない。
例えば、第一抜け止め部２２０として、第一規制部２２１を進退方向で複数隣接する状態に設けるなどにより多段に規制したり、第二規制部２３１を複数設けて多段に規制したり、互いに当接する構成をさらに設けて多段規制したりしてもよい。
さらに、レールガイド２１２Ａの進出状態で第一抜け止め部２２０にて進出規制した後に第二抜け止め部２３０で進出規制する二段階規制に限らず、第一抜け止め部２２０および第二抜け止め部２３０が同時に進出規制する二段階規制としてもよい。このような構成でも、不測の大きな外力が作用しても、第一抜け止め部２２０および第二抜け止め部２３０の双方にて外力を分担して吸収するので、簡単な構成で確実にディスク装置１００の損傷を防止できる。
【００３４】
そして、第一抜け止め部２２０および第二抜け止め部２３０を一方のレールガイド２１２Ａ側に設けて説明したが、一対のレールガイド２１２Ａ，２１２Ｂの双方に設けたり、レールガイド２１２Ｂ側にのみ設けたりしてもよい。特に、双方に設ける構成により、トレイ３００の両側で略均等に外力を吸収して、より安定したトレイ３００の脱落を防止できる。
また、他方のレールガイド２１２Ｂ側には第三抜け止め部２４０を設けたが、設けなくてもよい。さらには、第一抜け止め部２２０の第一規制部２２１に隣接する状態に、第三抜け止め部２４０の第一切り起こし規制部２４１Ｂを設けて、第一規制部２２１を本発明の第一樹脂規制部として本発明の第一抜け止め部として構成するなどしてもよい。
【００３５】
また、第一抜け止め部２２０として第一規制部２２１および第一抜け止め片２２２の構成に限らず、例えば第一抜け止め片２２２をケース体２００側に設け、第一規制部２２１をレールガイド２１２Ａ側に設けるなど、逆の構成とするなど、進出方向で互いに当接する各種形状とすることができる。
さらに、第二抜け止め部２３０としても同様に、第二規制部２３１および第二抜け止め片２３２の構成を逆にするなど、進出方向で互いに当接する各種形状とすることができる。
また、ウィング部２００Ｂから一連に第二規制部２３１を設けたが、例えば筐体本体部２００Ａから切り起こし形成するなど、他の形成方法としてもよい。
【００３６】
そして、第一抜け止め部２２０および第二抜け止め部２３０を近接する位置に設けて説明したが、離間する位置に設けてもよい。
さらに、第一抜け止め部２２０および第二抜け止め部２３０は、第一抜け止め片２２２が第一規制部２２１を乗り越えたり、折損などしたりすることなく、さらなる進出する力により互いに当接する第一規制部２２１および第一抜け止め片２２２が弾性変形することで、第二規制部２３１および第二抜け止め片２３２が当接する状態に設けたが、この限りではない。例えば、第一規制部２２１および第一抜け止め片２２２が弾性変形後に、第一抜け止め片２２２が第一規制部２２１を乗り越えるなどしてレールガイド２１２Ａがある程度進出してから第二抜け止め部２３０にて進出規制する位置関係としてもよい。
【００３７】
その他、本発明の実施の際の具体的な構造および手順は、本発明の目的を達成できる範囲で他の構造などに適宜変更できる。
【００３８】
〔実施の形態の効果〕
上述したように、レールガイド２１２Ａが開口面２０１から所定の距離で進出すると、第一抜け止め部２２０によりレールガイド２１２Ａの進出を規制し、この第一抜け止め部２２０にて規制する状態で同時に、あるいは第一抜け止め部２２０にて規制する状態からレールガイド２１２Ａがさらに開口面２０１から進出する状態で、第二抜け止め部２３０によりレールガイド２１２Ａの進出を規制している。
このため、トレイ３００に進出方向の力が作用した場合、第一抜け止め部２２０および第二抜け止め部２３０により二段階で規制するので、通常の操作によるトレイ３００の進退では、第一抜け止め部２２０によりトレイ３００の脱落が防止され、仮にディスク装置１００を備えた電気機器が落下するなどにより不測の大きな外力が作用しても、第一の抜け止め部２２０にて外力の一部を吸収し、さらに第二抜け止め部２３０により外力を吸収してトレイ３００が脱落することを防止できる。したがって、例えば、トレイ３００とケース体２００との間に接続されるフレキシブルコードなどが切断したり、回路部や制御回路部、さらにはディスク処理部２０が損傷したりするなどのディスク装置１００の損傷を防止できる。
【図面の簡単な説明】
【００３９】
【図１】本発明を説明するための従来のディスク装置におけるケース体からトレイを引き出した際のトレイおよびケース体の構成を示す平面図である。
【図２】本発明を説明するための従来のディスク装置の内部構成を示す平面図である。
【図３】本発明を説明するための従来のディスク装置における抜け止め片および規制片近傍を示す一部を切り欠いた平面図である。
【図４】本発明を説明するための他の従来のディスク装置における抜け止め片および規制片近傍を示す一部を切り欠いた平面図である。
【図５】本発明における一実施の形態に係るディスク装置の内部構成を示す平面図である。
【図６】前記一実施の形態におけるディスク装置のケース体からトレイを引き出した際のトレイおよびケース体の構成を示す平面図である。
【図７】前記一実施の形態におけるディスク装置の第一抜け止め部および第二抜け止め部近傍を示す一部を切り欠いた平面図である。
【図８】前記一実施の形態におけるディスク装置の第一抜け止め部および第二抜け止め部近傍を示す一部を切り欠いた側面図である。
【図９】前記一実施の形態におけるディスク装置の通常のトレイの進出状態での第一抜け止め部および第二抜け止め部近傍を示す一部を切り欠いた側面図である。
【図１０】前記一実施の形態におけるディスク装置の第三抜け止め部近傍を示す一部を切り欠いた平面図である。
【符号の説明】
【００４０】
２３……保持部としてのターンテーブル
１００……ディスク装置
２００……ケース体
２００Ａ…筐体本体部
２００Ｂ…ウィング部
２０１……開口面
２１２Ａ，２１２Ｂ…ガイドレールとしてのレールガイド
２２０……第一抜け止め部
２２１……第一規制部
２２２……第一抜け止め片
２３０……第二抜け止め部
２３１……第二規制部
２３２……第二抜け止め片
２４０……第一抜け止め部としても機能する第三抜け止め部
２４１Ａ…第一樹脂規制部
２４２Ｂ…第一切り起こし規制部
３００………トレイ
【図１】
2008071452.tif 000003
【図２】
2008071452.tif 000004
【図３】
2008071452.tif 000005
【図４】
2008071452.tif 000006
【図５】
2008071452.tif 000007
【図６】
2008071452.tif 000008
【図７】
2008071452.tif 000009
【図８】
2008071452.tif 000010
【図９】
2008071452.tif 000011
【図１０】
2008071452.tif 000012